(57)【特許請求の範囲】
【請求項１】
撮影手段を有し、当該撮影手段により撮影した画像に基づいて記録紙に記録を行なう画像記録装置において、
ユーザの撮影指示に応じて前記撮影手段による画像の撮影を実行するための制御を行う撮影制御手段と、
前記画像記録装置で用いられる記録紙と当該記録紙の情報を前記画像記録装置によって読取り可能に格納する記憶媒体とを備えるメディアパックを着脱可能に装着する装着手段と、
前記装着手段に装着されているメディアパックの記憶媒体に格納された記録紙の情報を読出す読出し手段と、
前記読出し手段が読み出した記録紙の情報に基づき、前記撮影手段により撮影した画像を記録紙に記録するための記録処理を実行する記録制御手段と、
前記読み出し手段により読み出した記録紙の情報を表示する表示手段と、
前記装着手段に装着されているメディアパックの使用または不使用を指示するためのユーザからの入力を受け付ける受付手段と、を有し、
前記表示手段は、前記撮影手段による画像の撮影の前に、前記記録紙の情報を表示し、
前記受付手段は、前記撮影手段による画像の撮影の前に、前記メディアパックの使用または不使用を指示するためのユーザからの入力を受け付け、
前記撮影制御手段は、前記受付手段により前記装着手段に装着されているメディアパックの使用を指示する入力を受け付けたことに応じて、ユーザによる撮影指示に応じた撮影を可能とすることを特徴とする画像記録装置。
【請求項２】
前記記録紙の情報は、当該メディアパックが保持する記録紙のサイズであることを特徴とする請求項１に記載の画像記録装置。
【請求項３】
前記記録紙の情報は、当該メディアパックが保持する記録紙の種類であることを特徴とする請求項１に記載の画像記録装置。
【請求項４】
前記記録紙の情報は、前記記録紙をＮ個の記録領域に分割して用いるときの分割数Ｎであることを特徴とする請求項１に記載の画像記録装置。
【請求項５】
前記記録制御手段は、前記分割数Ｎに基づき、１枚の記録紙に同一の画像を前記Ｎ個の記録領域にそれぞれ記録することを特徴とする請求項４に記載の画像記録装置。
【請求項６】
前記記録制御手段は、前記分割数Ｎに基づき、１枚の記録紙にＮ種類の異なる画像を前記Ｎ個の記録領域にそれぞれ記録することを特徴とする請求項４に記載の画像記録装置。
【請求項７】
前記記録紙がＮ個の記録領域に分割され、更に複数種類の画像を記録する場合には、画像の配置を設定する設定手段を更に有することを特徴とする請求項４に記載の画像記録装置。
【請求項８】
前記記録制御手段は、前記分割数Ｎに基づき、１枚の記録紙にＭ(＜Ｎ)種類の異なる画像を前記Ｎ個の記録領域にそれぞれ少なくとも一つ記録することを特徴とする請求項４に記載の画像記録装置。
【請求項９】
記録紙にインクを吐出して記録を行なうことを特徴とする請求項１ないし８のいずれかに記載の画像記録装置。
【請求項１０】
前記受付手段により前記装着手段に装着されているメディアパックの不使用を指示する入力を受け付けた場合には、前記撮影手段は、ユーザからの撮影指示の受付を待機せずに、前記装着手段への別のメディアパックの装着を待機することを特徴とする請求項１ないし９のいずれか１項に記載の画像記録装置。
【請求項１１】
前記表示手段は、前記撮影手段による画像の撮影後に、前記記録紙の情報に基づいて撮影した画像に処理を施して表示することを特徴とする請求項１ないし１０のいずれか１項に記載の画像記録装置。
【請求項１２】
前記撮影手段による画像の撮影後に、撮影した画像を前記記録紙に記録するための指示を受け付ける記録指示手段を有することを特徴とする請求項１ないし１１のいずれか１項に記載の画像記録装置。
【請求項１３】
撮影手段を有し、当該撮影手段により撮影した画像に基づいて記録紙に記録を行なう画像記録方法において、
ユーザの撮影指示に応じて前記撮影手段による画像の撮影を実行するための制御を行う撮影制御工程と、
前記画像記録装置で用いられる記録紙と当該記録紙の情報を前記画像記録装置によって読取り可能に格納する記憶媒体とを備えるメディアパックを着脱可能に装着する装着手段を用意する工程と、
前記装着手段に装着されているメディアパックの記憶媒体に格納された記録紙の情報を読出す読出し工程と、
前記読出し工程で読み出した記録紙の情報に基づき、前記撮影手段により撮影した画像を記録紙に記録するための記録処理を実行する記録制御工程と、
前記読み出し工程で読み出した記録紙の情報を表示する表示工程と、
前記装着手段に装着されているメディアパックの使用または不使用を指示するためのユーザからの入力を受け付ける受付工程と、を有し、
前記表示工程は、前記撮影手段による画像の撮影の前に、前記記録紙の情報を表示し、
前記受付工程は、前記撮影手段による画像の撮影の前に、前記メディアパックの使用または不使用を指示するためのユーザからの入力を受け付け、
前記撮影制御工程は、前記受付工程により前記装着手段に装着されているメディアパックの使用を指示する入力を受け付けたことに応じて、ユーザによる撮影指示に応じた撮影を可能とすることを特徴とする画像記録方法。
【発明の詳細な説明】
【０００１】
【発明の属する技術分野】
本発明は、画像記録装置および画像記録方法に関し、詳しくは、記録に用いる記録紙のサイズや種類等に応じて画像処理や記録制御を行なうための構成に関するものである。
【０００２】
【従来の技術】
近年、種々の情報が電子データの形態で処理され、やり取りされ、また、記憶される、いわゆるペーパーレスによる取り扱いが多くなりつつある。一方で、個人ユーザ向けの比較的廉価なプリンタによるプリント画質の向上は著しく、特に、インクジェット方式を用いた記録装置の分野では、写真画質並みの画質でプリントを行なうことができるプリンタも提供されている。また、このような情報出力機器ばかりか、デジタルカメラのような情報入力機器も広く普及しつつあり、これらの入力機器によって入力できる画像の画質も年々向上している。そして、このような入出力機器の高画質化により、プリンタで出力できる画像の種類も多様になり、また、入力機器と出力機器を組み合わせた用い方自体も多様になりつつある。
【０００３】
ところで、プリンタ等の記録装置では、上述した高画質化や多様なプリント画像に対処する構成として、記録装置における各要素の精度向上や記録方法の改善などに加え、記録に用いる記録紙やインクなどに応じて記録方法などを選択し、最適な記録制御を行なうことが一般的に行なわれている。具体的には、記録紙のサイズ、記録紙の種類、インクの種類などに応じて記録制御の態様を変更するものである。
【０００４】
例えば、記録紙のサイズに応じて記録制御を行うプリンタとして、特開平０４−００４１７２号公報に記載の装置では、プリンタにセットされている紙のサイズを検出し、この検出により得た紙サイズと設定されたイメージサイズとに基づき、この設定されたイメージ幅が検出した紙サイズの横幅より大きいときは、描画するイメージを縦長から横長に変え、それに応じて使用するフォントの角度と記録方向を切り替える記録制御を行なう。
【０００５】
また、記録紙の種類に応じて記録制御を行うプリンタの例として、特開平０４−１４２９６１号公報に記載の装置、記録紙の紙幅の検知結果とプラテンドラムに受像紙がグリップされてから所定の位置までプラテンドラムを回転させたときの受像紙の検知結果とに基づいて、紙の種類および搬送方向を判断し、その判断結果に応じて記録領域を制御するものである。
【０００６】
さらに、特開平０３−１８０３４９号公報に記載の装置は、インクを記録紙上に吐出して記録を行うインクジェットプリンタであり、文字ドットパターンの輪郭における吐出インク量を、記録紙の種類に応じて制御する。
【０００７】
さらに、インクの種類に応じて記録制御を行うプリンタの例として、特開平１０−０３４９８５号公報に記載の装置では、インクの種類に基づいてサーマルヘッドの保持温度を設定し、この設定された保持温度となるようサーマルヘッドを加熱、冷却、保温するヘッド温度制御回路が設けられている。
【０００８】
以上の公報に記載の記録装置のように、従来の記録装置は記録紙のサイズ等について、何らかの特別に設けた構成によって検出を行なうものである。あるいは、公報ではその構成について明示がなされていない。
【０００９】
例えば、特開平０４−００４１７２号公報に記載の装置では、プリンタにセットされている紙のサイズを要求するコマンドを送り、それに応じて紙のサイズを返すことによって紙サイズを検出している。
【００１０】
また、特開平０４−１４２９６１号公報に記載の装置では、受像紙の紙幅を検知する紙幅検知機構や、紙搬送路において受像紙の有無を検知する受像紙検知機構の検知結果によって紙種および搬送方向を判断している。さらに、特開平０３−１８０３４９号公報に記載の装置は、記録紙の種類に応じて吐出インク量を制御している。
【００１１】
さらに、特開平１０−０３４９８５号公報に記載の装置では、インクの種類に応じてサーマルヘッドの温度制御を行う温度制御回路を設けるている。
【００１２】
【発明が解決しようとする課題】
しかしながら、従来の記録装置では、上述したように記録紙のサイズなどについて、それを検出するための特別の構成をを必要とするため、装置のコストが上昇するなどの弊害を生じる。
【００１３】
これに対し、記録紙とインクを一体に保持したパックの形態とし、このパックが保持する記録紙およびインクについて種々組合せたものを用意し、記録する画像等、記録目的に応じた種類のパックを装着して用いることが考慮できる。そして、このような記録紙とインクを一体に保持するパック(以下では、「メディアパック」ともいう)の装着操作自体が、すなわち、その保持する記録紙等に応じた画像処理または記録制御の設定操作となればユーザにとって便利である。
【００１４】
特に、パーソナルコンピュータ等のホスト装置とともに用いられるのではなく単体で用いられる記録装置、あるいは例えばデジタルカメラと一体に構成される小型の記録装置の場合、上述した記録紙のサイズ等を検出するために設けられるハードウエアもしくはソフトウエアは、相対的にその装置に対して大きな負荷となる。また、ユーザは、このような比較的簡便な記録装置において、記録紙等に応じた記録制御の設定のために操作上の負担が増えることを好まないのが一般的である。
【００１５】
本発明は、以上の観点からなされたものであり、その目的とするところは、ユーザが所望する多種多様なバリエーションの記録紙やインクに応じた画像処理や記録制御の設定を簡便に行なうことを可能とする画像記録装置および画像記録方法を提供することを目的とする。
【００１６】
【課題を解決するための手段】
そのために、本発明では、撮影手段を有し、当該撮影手段により撮影した画像に基づいて記録紙に記録を行なう画像記録装置において、ユーザの撮影指示に応じて前記撮影手段による画像の撮影を実行するための制御を行う撮影制御手段と、前記画像記録装置で用いられる記録紙と当該記録紙の情報を前記画像記録装置によって読取り可能に格納する記憶媒体とを備えるメディアパックを着脱可能に装着する装着手段と、前記装着手段に装着されているメディアパックの記憶媒体に格納された記録紙の情報を読出す読出し手段と、前記読出し手段が読み出した記録紙の情報に基づき、前記撮影手段により撮影した画像を記録紙に記録するための記録処理を実行する記録制御手段と、前記読み出し手段により読み出した記録紙の情報を表示する表示手段と、前記装着手段に装着されているメディアパックの使用または不使用を指示するためのユーザからの入力を受け付ける受付手段と、を有し、前記表示手段は、前記撮影手段による画像の撮影の前に、前記記録紙の情報を表示し、前記受付手段は、前記撮影手段による画像の撮影の前に、前記メディアパックの使用または不使用を指示するためのユーザからの入力を受け付け、前記撮影制御手段は、前記受付手段により前記装着手段に装着されているメディアパックの使用を指示する入力を受け付けたことに応じて、ユーザによる撮影指示に応じた撮影を可能とすることを特徴とする。
【００１９】
別の形態では、撮影手段を有し、当該撮影手段により撮影した画像に基づいて記録紙に記録を行なう画像記録方法において、ユーザの撮影指示に応じて前記撮影手段による画像の撮影を実行するための制御を行う撮影制御工程と、前記画像記録装置で用いられる記録紙と当該記録紙の情報を前記画像記録装置によって読取り可能に格納する記憶媒体とを備えるメディアパックを着脱可能に装着する装着手段を用意する工程と、前記装着手段に装着されているメディアパックの記憶媒体に格納された記録紙の情報を読出す読出し工程と、前記読出し工程で読み出した記録紙の情報に基づき、前記撮影手段により撮影した画像を記録紙に記録するための記録処理を実行する記録制御工程と、前記読み出し工程で読み出した記録紙の情報を表示する表示工程と、前記装着手段に装着されているメディアパックの使用または不使用を指示するためのユーザからの入力を受け付ける受付工程と、を有し、前記表示工程は、前記撮影手段による画像の撮影の前に、前記記録紙の情報を表示し、前記受付工程は、前記撮影手段による画像の撮影の前に、前記メディアパックの使用または不使用を指示するためのユーザからの入力を受け付け、前記撮影制御工程は、前記受付工程により前記装着手段に装着されているメディアパックの使用を指示する入力を受け付けたことに応じて、ユーザによる撮影指示に応じた撮影を可能とすることを特徴とする。
【００２０】
以上の構成によれば、装着されるメディアパックの記憶媒体に格納されるものであって、記録部で用いられる物の情報を読出し、その読み出した物の情報に基づいて記録に関した処理を行うので、メディアパックの装着動作のみでその記録部の記録制御の設定を行なうことができる。例えば、上記物の情報が記録紙のサイズである場合、そのサイズに応じて記録する画像情報の拡大、縮小処理を行ない、記録紙に適切なサイズの画像を、設定のための操作を必要とせずに自動的に記録することが可能となる。
【００２１】
【発明の実施の形態】
以下、図面を参照して本発明の実施形態を詳細に説明する。
【００２２】
最初に、本明細書において、「プリント」（「記録」という場合もある）とは、文字、図形等有意の情報を形成する場合のみならず、有意無意を問わず、また人間が視覚で知覚し得るように顕在化したものであるか否かを問わず、広くプリント媒体上に画像、模様、パターン等を形成する場合、またはプリント媒体の加工を行う場合を言うものとする。
【００２３】
また、「プリント媒体あるいは被記録媒体」とは、一般的な記録装置で用いられる紙のみならず、広く、布、プラスチック・フィルム、金属板等、ガラス、セラミックス、木材、皮革等、インクを受容可能な物も言うものとするが、以下では単に「記録紙または紙」ともいうものとする。
【００２４】
また、本明細書において、「カメラ」とは光学的に撮像し、光学像を電気信号に変換する機器やデバイスを示すものであり、以下の説明において「撮像部」とも称する。
【００２５】
さらに、「インク」（「液体」という場合もある）とは、上記「プリント」の定義と同様広く解釈されるべきものであり、プリント媒体上に付与されることによって、画像、模様、パターン等の形成、プリント媒体の加工、或いはインクの処理（例えば、プリント媒体に付与されるインク中の色材の凝固または不溶化）に供される液体を言うものとする。
【００２６】
なお、本発明が有効に用いられるヘッドの一形態は、電気熱変換体が発生する熱エネルギーを利用して液体に膜沸騰を生じさせ気泡を形成する形態である。
【００２７】
以下で説明する第１〜第６実施形態は、インクジェットプリンタとデジタルカメラを一体に構成したものに関し、また、第７〜第１２実施形態は、プリンタに関するものである。最初に、図１〜図１４を参照して第１〜第６実施形態にかかるプリンタ内蔵カメラの構成について説明する。
【００２８】
「基本構成」
まず、プリンタ内蔵カメラの基本構成について説明する。本例において説明する装置は、光学的に撮像して電気信号に変換する撮像部(以下、「カメラ部」とも称する)と、撮像して得られた電気信号に基づいて画像の記録を行なう記録部(以下、「プリンタ部」とも称する)とを備えた情報処理機器として構成されている。以下、本例で説明する情報処理機器を「プリンタ内蔵カメラ」と称して説明する。
【００２９】
装置本体Ａ００１においては、カメラ部Ａ１００の背面側にプリンタ部（記録装置部）Ｂ１００が一体的に組み込まれている。プリンタ部Ｂ１００は、メディアパックＣ１００から供給されるインクとプリント媒体を用いて画像を記録する。本構成では、装置本体Ａ００１から外装を外して背面側から見た図５から明らかなように、装置本体Ａ００１の同図中の右手側にメディアパックＣ１００が挿入され、装置本体Ａ００１の同図中左手側にプリンタ部Ｂ１００が配置される。プリンタ部Ｂ１００によって記録を行う場合には、カメラ部Ａ１００における後述の液晶表示部Ａ１０５を上側、レンズＡ１０１を下側にするように、装置本体Ａ００１を置いた姿勢とすることができる。この記録姿勢において、プリンタ部Ｂ１００における後述の記録ヘッドＢ１２０は、インクを下向きに吐出する姿勢となる。記録姿勢は、カメラ部Ａ１００による撮影状態の姿勢と同様の姿勢とすることも可能であり、上記の記録姿勢に限られることはない。記録動作の安定性の面からは、上記のインクを下向きに吐出する記録姿勢が好ましい。
【００３０】
以下においては、本例の装置の機械的な基本構成をＡ「カメラ部」、Ｂ「メディアパック」、Ｃ「プリンタ部」とに分けて説明し、また、信号処理系の基本構成はＤ「信号処理系」として説明する。
【００３１】
Ａ「カメラ部」
カメラ部Ａ１００は、基本的には、一般的なデジタルカメラを構成するものであり、後述するプリンタ部Ｂ１００と共に装置本体Ａ００１に一体的に組み合わせられることによって、図１から図３のような外観のプリンタ内蔵のデジタルカメラを構成する。図１から図３において、Ａ１０１はレンズ、Ａ１０２はファインダー、Ａ１０２ａはファインダー窓、Ａ１０３はストロボ、Ａ１０４はレリーズボタン、Ａ１０５は液晶表示部（外部表示部）である。カメラ部Ａ１００は、後述するように、ＣＣＤを用いて撮像したデータの処理、コンパクトフラッシュメモリカード（ＣＦカード）Ａ１０７への画像の記憶、画像の表示、プリンタ部Ｂ１００との間の各種データの授受等をする。Ａ１０９は、撮影された画像を後述のプリント媒体Ｃ１０４に記録した場合に、画像が記録されたプリント媒体Ｃ１０４が排出される排出部である。図５に示されるＡ１０８は、カメラ部Ａ１００およびプリンタ部Ｂ１００の電源としての電池である。
【００３２】
Ｂ「メディアパック」
メディアパックＣ１００は、装置本体Ａ００１に対して着脱可能であり、本例の場合は、装置本体Ａ００１の挿入部Ａ００２（図３参照）から差し込まれることによって、図１のように装置本体Ａ００１に装着される。挿入部Ａ００２は、メディアパックＣ１００が装着されていないときは図３のように閉じられており、それが装着されるときに開かれる。図５は、メディアパックＣ１００が装着された装置本体Ａ００１から、外装を外した状態を示す。メディアパックＣ１００のパック本体Ｃ１０１には、図４のように、シャッターＣ１０２が矢印Ｄ方向にスライド可能に備えられている。シャッターＣ１０２は、メディアパックＣ１００が装置本体Ａ００１に装着されていないときには図４中の２点鎖線の位置にスライドしており、メディアパックＣ１００が装置本体Ａ００１に装着されたときには、図４中の実線の位置にスライドする。
【００３３】
パック本体Ｃ１０１には、インクパックＣ１０３とプリント媒体Ｃ１０４が収容されている。図４において、インクパックＣ１０３は、プリント媒体Ｃ１０４の下方に収容される。本例の場合、インクパックＣ１０３は、Ｙ（イエロー），Ｍ（マゼンタ），Ｃ（シアン）のインクを個別に収容するように３つ備えられており、またプリント媒体Ｃ１０４は２０枚程度重ねて収容されている。それらのインクとプリント媒体Ｃ１０４は、画像の記録に最適な組合せのものが選択された上、同じメディアパックＣ１００内に収容されている。したがって、インクとプリント媒体の組合せが異なる種々のメディアパックＣ１００（例えば、超高画質用、ノーマル画質用、シール（分割シール）用等のメディアパック）を用意しておいて、記録すべき画像の種類、および画像が形成されたプリント媒体の用途などに応じて、それらのメディアパックＣ１００を選択的に装置本体Ａ００１に装着することにより、最適な組合せのインクとプリント媒体を用いて、目的に応じた画像を確実に記録することができる。また、メディアパックＣ１００には後述するＥＥＰＲＯＭ（識別ＩＣ）が備えられており、そのＥＥＰＲＯＭには、メディアパックが収容しているインクとプリント媒体の種類や残量などの識別データが記憶される。
【００３４】
インクパックＣ１０３は、メディアパックＣ１００が装置本体Ａ００１に装着されたときに、Ｙ，Ｍ，Ｃのインクのそれぞれに対応する３つのジョイントＣ１０５を通して、後述する装置本体Ａ００１側のインク供給系に接続される。一方、プリント媒体Ｃ１０４は、図示しない分離機構によって一枚ずつ分離されてから、後述する給紙ローラＣ１１０（図９参照）によって矢印Ｃ方向に送り出される。その給紙ローラＣ１１０の駆動力は、装置本体Ａ００１側に備わる後述の搬送モータＭ００２（図９参照）から、連結部Ｃ１１０ａを介して供給される。
【００３５】
また、パック本体Ｃ１０１には、後述するプリンタ部の記録ヘッドをワイピングするためのワイパーＣ１０６と、そのプリンタ部から排出された廃インクを吸収するためのインク吸収体Ｃ１０７と、が備えられている。プリンタ部における記録ヘッドは、後述するように矢印Ａの主走査方向に往復移動する。メディアパックＣ１００が装置本体Ａ００１から外されているときは、シャッターＣ１０２が図４中の２点鎖線の位置にスライドして、ジョイントＣ１０５、ワイパーＣ１０６、およびインク吸収体Ｃ１０７などを保護する。
【００３６】
Ｃ「プリンタ部」
本例のプリンタ部Ｂ１００は、インクジェット記録ヘッドを用いるシリアルタイプである。このプリンタ部Ｂ１００については、Ｃ−１「プリント動作部」、Ｃ−２「プリント媒体搬送系」、およびＣ−３「インク供給系」に分けて説明する。
【００３７】
Ｃ−１「プリント動作部」
図６は、プリンタ部Ｂ１００全体の斜視図、図７は、プリンタ部Ｂ１００の一部を取り外した斜視図である。
【００３８】
プリンタ部Ｂ１００の本体内部の定位置には、図５のように、装置本体Ａ００１に装着されたメディアパックＣ１００の先端部分が位置する。メディアパックＣ１００から矢印Ｃ方向に送り出されたプリント媒体Ｃ１０４は、後述するプリント媒体搬送系におけるＬＦローラＢ１０１とＬＦピンチローラＢ１０２との間に挟まれつつ、プラテンＢ１０３上にて矢印Ｂの副走査方向に搬送される。Ｂ１０４は、ガイド軸Ｂ１０５とリードスクリューＢ１０６に沿って矢印Ａの主走査方向に往復移動されるキャリッジである。
【００３９】
キャリッジＢ１０４には、図８のように、ガイド軸Ｂ１０５用の軸受けＢ１０７と、リードスクリューＢ１０６用の軸受けＢ１０８が設けられている。キャリッジＢ１０４の定位置には、図７のように、軸受けＢ１０８の内側に突出するスクリューピンＢ１０９がばねＢ１１０によって取り付けられている。そして、リードスクリューＢ１０６の外周部に形成された螺旋溝に対して、スクリューピンＢ１０９の先端がはまり合うことによって、リードスクリューＢ１０６の回転がキャリッジＢ１０４の往復移動に変換される。
【００４０】
また、キャリッジＢ１０４には、Ｙ，Ｍ，Ｃのインクを吐出可能なインクジェット記録ヘッドＢ１２０と、その記録ヘッドＢ１２０に供給されるインクを収容するサブタンク（図示せず）が搭載されている。記録ヘッドＢ１２０には、矢印Ａの主走査方向と交差する方向（本例の場合は、直交する方向）に沿って並ぶ複数のインク吐出口Ｂ１２１（図８参照）が形成されている。インク吐出口Ｂ１２１は、サブタンクから供給されたインクを吐出可能なノズルを構成する。インクを吐出させるためのエネルギーの発生手段としては、ノズル毎に備えた電気熱変換体を用いることができる。その電気熱変換体は、発熱駆動されることによってノズル内のインク中に気泡を発生させ、その発泡エネルギーによってインク吐出口Ｂ１２１からインク滴を吐出させる。
【００４１】
サブタンクは、メディアパックＣ１００に収容されているインクパックＣ１０３よりも小容量であり、少なくともプリント媒体Ｃ１０４の１枚分の画像記録に必要な量のインクを収容する大きさとなっている。サブタンクにおいて、Ｙ，Ｍ，Ｃのインク毎のインク収容部分には、それぞれインク供給部と負圧導入部が形成されており、それらのインク供給部は対応する３つの中空のニードルＢ１２２に個別に接続され、また、それらの負圧導入部は共通の供給エアー口Ｂ１２３に接続されている。このようなサブタンクには、後述するように、キャリッジＢ１０４が図６のようなホームポジションに移動したときに、メディアパックＣ１００のインクパックＣ１０３からインクが補給される。
【００４２】
図８のキャリッジＢ１０４において、Ｂ１２４はニードルカバーであり、ニードルＢ１２２とジョイントＣ１０５とが連結していないときは、スプリングの力によって同図のように、ニードルＢ１２２を保護する位置に移動しており、ニードルＢ１２２とジョイントＣ１０５とが連結するときは、スプリングの力に抗して同図中の上方に押されてニードルＢ１２２の保護を解く。キャリッジＢ１０４の移動位置は、キャリッジＢ１０４側のエンコーダセンサＢ１３１と、プリンタ部Ｂ１００の本体側のリニアスケールＢ１３２（図６参照）と、によって検出される。また、キャリッジＢ１０４がホームポジションに移動したことは、キャリッジＢ１０４側のＨＰ（ホームポジション）フラグＢ１３３と、プリンタ部Ｂ１００の本体側のＨＰセンサＢ１３４（図７参照）と、によって検出される。
【００４３】
図７において、ガイド軸Ｂ１０５の両端には、その中心軸から偏心した位置に支軸（図示せず）が設けられている。ガイド軸Ｂ１０５は、その支軸を中心として回動調整されることにより、キャリッジ１０４の位置が調整されて、記録ヘッドＢ１２０と、プラテンＢ１０３上のプリント媒体Ｃ１０４と、の間の距離（「紙間距離」ともいう）が調整される。また、リードスクリューＢ１０６は、スクリューギアＢ１４１、アイドラギアＢ１４２、およびモータギアＢ１４３を介して、キャリッジモータＭ００１によって回転駆動される。また、Ｂ１５０は、後述する制御系と記録ヘッドＢ１２０とを電気的に接続するためのフレキシブルケーブルである。
【００４４】
記録ヘッドＢ１２０は、キャリッジＢ１０４と共に矢印Ａの主走査方向に移動しつつ、画像信号に応じてインク吐出口Ｂ１２１からインクを吐出することによって、プラテンＢ１０３上のプリント媒体に１行分の画像を記録する。このような記録ヘッドＢ１２０による１行分の記録動作と、後述するプリント媒体搬送系による矢印Ｂの副走査方向におけるプリント媒体の所定量の搬送動作と、を繰り返すことによって、プリント媒体上に順次画像を記録する。
【００４５】
Ｃ−２「プリント媒体搬送系」
図９は、プリンタ部Ｂ１００におけるプリント媒体搬送系の構成部分の斜視図である。図９において、Ｂ２０１は対の排紙ローラであり、同図中上側の一方の排紙ローラＢ２０１は、排紙ローラギアＢ２０２と中継ギアＢ２０３を介して、搬送モータＭ００２により駆動される。同様に、前述したＬＦローラＢ１０１は、ＬＦローラギアＢ２０４と中継ギアＢ２０３を介して、搬送モータＭ００２により駆動される。排紙ローラＢ２０１とＬＦローラＢ１０１は、搬送モータＭ００２の正転時の駆動力によって、プリント媒体Ｃ１０４を矢印Ｂの副走査方向に搬送する。
【００４６】
一方、搬送モータＭ００２が逆転したときは、切り替えスライダＢ２１１および切り替えカムＢ２１２を介して、圧板ヘッドＢ２１３と図示しないロック機構が駆動されると共に、メディアパックＣ１００側の給紙ローラＣ１１０に駆動力が伝達される。すなわち、圧板ヘッドＢ２１３は、搬送モータＭ００２の逆転時の駆動力によって、メディアパックＣ１００のシャッターＣ１０２の窓部Ｃ１０２Ａ（図４参照）を通って、メディアパックＣ１００内に集積されているプリント媒体Ｃ１０４を図４中の下方に押圧する。これにより、図４中の最下位置のプリント媒体Ｃ１０４がメディアパックＣ１００内の給紙ローラＣ１１０上に押し付けられる。また、図示しないロック機構は、搬送モータＭ００２の逆転時の駆動力によって、装置本体Ａ００１に対してメディアパックＣ１００をロックしてメディアパックＣ１００の取り外しを禁止する。また、メディアパックＣ１００側の給紙ローラＣ１１０は、搬送モータＭ００２の逆転時の駆動力が伝達されることによって、図４中最下位置の１枚のプリント媒体Ｃ１０４を矢印Ｃ方向に搬出する。
【００４７】
このように、搬送モータＭ００２が逆転することによって、メディアパックＣ１００からプリント媒体Ｃ１０４が１枚だけ矢印Ｃ方向に取り出され、その後、搬送モータＭ００２が正転することによって、そのプリント媒体Ｃ１０４が矢印Ｂ方向に搬送される。
【００４８】
Ｃ−３「インク供給系」
図１０は、プリンタ部Ｂ１００におけるインク供給系の構成部分の斜視図、図１１は、そのインク供給系の構成部分にメディアパックＣ１００が装着されたときの平面図である。
【００４９】
プリンタ部Ｂ１００に装着されたメディアパックＣ１００のジョイントＣ１０５は、ホームポジションに移動したキャリッジＢ１０４側のニードルＢ１２２（図８参照）の下に位置する。プリンタ部Ｂ１００の本体には、ジョイントＣ１０５の下方に位置するジョイントフォークＢ３０１（図１０参照）が備えられており、そのジョイントフォークＢ３０１がジョイントＣ１０５を上動させることにより、ジョイントＣ１０５がニードルＢ１２２に接続される。これにより、メディアパックＣ１００側のインクパックＣ１０３と、キャリッジＢ１０４側のサブタンクのインク供給部と、の間のインク供給路が形成される。また、プリンタ部Ｂ１００の本体には、ホームポジションに移動したキャリッジＢ１０４の供給エアー口Ｂ１２３（図８参照）の下に位置する供給ジョイントＢ３０２が備えられている。この供給ジョイントＢ３０２は、供給チューブＢ３０３を介して、負圧発生源としてのポンプのポンプシリンダＢ３０４に接続されている。供給ジョイントＢ３０２は、ジョイントリフタＢ３０５によって上動されることにより、キャリッジＢ１０４側の供給エアー口Ｂ１２３に接続される。これにより、キャリッジＢ１０４側のサブタンクの負圧導入部と、ポンプシリンダＢ３０４と、の間の負圧導入路が形成される。ジョイントリフタＢ３０５は、ジョイントモータＭ００３の駆動力によって、供給ジョイントＢ３０２と共にジョイントフォークＢ３０１を上下動させる。
【００５０】
サブタンクの負圧導入部には、空気の通過を許容し、かつインクの通過を阻止する気液分離部材（図示せず）が備えられている。気液分離部材は、負圧導入路を通して吸引されるサブタンク内の空気の通過を許容し、これによりメディアパックＣ１００からサブタンクにインクが補給される。そして、サブタンク内のインクが気液分離部材に達するまで、インクが充分に補給されたときに、その気液分離部材がインクの通過を阻止することにより、インクの補給が自動的に停止する。気液分離部材は、サブタンクのインク毎のインク収容部分におけるインク供給部に備えられており、それらのインク収容部分毎に、インクの補給を自動的に停止させる。
【００５１】
また、プリンタ部Ｂ１００の本体には、ホームポジションに移動したキャリッジＢ１０４側の記録ヘッドＢ１２０（図８参照）に対して、キャッピングが可能な吸引キャップＢ３１０が備えられている。吸引キャップＢ３１０は、その内部に、吸引チューブＢ３１１を通してポンプシリンダＢ３０４から負圧が導入されることによって、記録ヘッドＢ１２０のインク吐出口Ｂ１２１からインクを吸引排出（吸引回復処理）させることができる。また、記録ヘッドＢ１２０は、必要に応じて、画像の記録に寄与しないインクを吸引キャップＢ３１０内に吐出させる（予備吐出処理）。吸引キャップＢ３１０内のインクは、ポンプシリンダＢ３０４から、廃液チューブＢ３１２と廃液ジョイントＢ３１３を通して、メディアパックＣ１１０内のインク吸収体Ｃ１０７に排出される。
【００５２】
ポンプシリンダＢ３０４は、それを往復駆動するためのポンプモータＭ００４などと共にポンプユニットＢ３１５を構成する。ポンプモータＭ００４は、ワイパーリフタＢ３１６（図１０参照）を上下動させるための駆動源としても機能する。ワイパーリフタＢ３１６は、プリンタ部Ｂ１００に装着されたメディアパックＣ１００のワイパーＣ１０６を上動させることによって、そのワイパーＣ１０６を記録ヘッドＢ１２０のワイピングが可能な位置に移動させる。
【００５３】
図１０および図１１において、Ｂ３２１は、ポンプシリンダＢ３０４によって構成されるポンプの動作位置がホームポジションにあることを検出するポンプＨＰセンサである。また、Ｂ３２２は、前述したインク供給路および負圧導入路が形成されたことを検出するジョイントＨＰセンサである。また、Ｂ３２３は、プリンタ部Ｂ１００の本体を構成するシャーシである。
【００５４】
Ｄ「信号処理系」
図１２は、カメラ部Ａ１００とプリンタ部Ｂ１００の概略のブロック構成図である。
【００５５】
カメラ部Ａ１００において、１０１は撮像素子としてのＣＣＤ、１０２は音声入力のためのマイク、１０３はハードウェア処理を行なうＡＳＩＣ、１０４は画像データ等を一時的に記憶する第１メモリ、１０５は撮像画像を記憶するＣＦカード（「ＣＦカードＡ１０７」に相当）、１０６は撮影画像または再生画像を表示するＬＣＤ（「液晶表示部Ａ１０５」に相当）、１２０はカメラ部Ａ１００の制御をする第１ＣＰＵ、である。
【００５６】
プリンタ部Ｂ１００において、２１０は、カメラ部Ａ１００とプリンタ部Ｂ１００との間のインターフェース、２０１は画像処理部（画像を２値化する２値化処理部を含む）、２０２は画像処理を行なう上で使用する第２メモリ、２０３はバンドメモリ制御部、２０４はバンドメモリ、２０５はマスクメモリ、２０６はヘッド制御部、２０７は記録ヘッド（「記録ヘッドＢ１２０」に相当）、２０８はエンコーダ（「エンコーダセンサＢ１３１」に相当）、２０９はエンコーダカウンタ、２２０はプリンタ部Ｂ１００を制御する第２ＣＰＵ、２２１はモータドライバ、２２２はモータ（「モータＭ００１，Ｍ００２，Ｍ００３，Ｍ００４」に相当）、２２３はセンサ（「ＨＰセンサＢ１３４，Ｂ３２１，Ｂ３２２」を含む）、２２４はメディアパックＣ１００に内蔵されているＥＥＰＲＯＭ、２３０は音声エンコーダ部、２５０は装置全体に電源を供給する電源部（「電池Ａ１０８」に相当）、である。
【００５７】
図１３は、カメラ部Ａ１００における信号処理の説明図である。撮影モードの時は、レンズ１０７を通してＣＣＤ１０１により撮像された画像は、ＡＳＩＣ１０３により信号処理（ＣＣＤ信号処理）され、ＹＵＶ輝度２色差信号に変換される。更に、所定の解像度にリサイズされ、ＪＰＥＧ圧縮されてＣＦカード１０５に記録される。また、音声に関しては、マイク１０２より入力され、ＡＳＩＣ１０３を介してＣＦカード１０５に記憶される。音声の記録に関しては、撮影時と同時、または、撮影後のアフレコとして記憶させることができる。再生モードの時には、ＣＦカード１０５よりＪＰＥＧ画像が読み出され、ＡＳＩＣ１０３によりＪＰＥＧ伸張され、更に表示用の解像度にリサイズされてＬＣＤ１０６に表示される。
【００５８】
図１４は、プリンタ部Ｂ１００における信号処理の説明図である。
【００５９】
カメラ部Ａ１００側で再生された画像、即ちＣＦカード１０５より読み出された画像は、図１３のように、ＡＳＩＣ１０３によってＪＰＥＧ伸張され、プリントする解像度に適する解像度にリサイズされる。そして、リサイズされた画像データ（ＹＵＶ）はインターフェース部２１０を介してプリンタ部Ｂ１００へ送られる。プリンタ部Ｂ１００は、図１４のように、カメラ部Ａ１００より送られた画像データを画像処理部２０１により画像処理し、画像データのＲＧＢ信号への変換、カメラの特性に応じた入力γ補正、ルックアップテーブル（ＬＵＴ）を用いての色補正および色変換、プリントするための２値化信号への変換をする。２値化処理の際には、誤差拡散（ＥＤ）処理を行うために、誤差メモリとして第２メモリ２０２を用いる。本例の場合、画像処理部２０１における２値化処理部は誤差拡散処理を行なっているが、ディザパターンを使った２値化処理等、他の処理を行うことも可能である。２値化されたプリントデータはバンドメモリ制御部２０３によって、一旦バンドメモリ２０４に記憶される。プリンタ部Ｂ１００のエンコーダカウンタ２０９には、記録ヘッド２０７およびエンコーダ２０８を搭載したキャリッジＢ１０４が一定距離移動する毎に、エンコーダ２０８からのエンコーダパルスが入る。そして、このエンコーダパルスに同期して、バンドメモリ２０４とマスクメモリ２０５からプリントデータが読み出され、そのプリントデータに基づき、ヘッド制御部２０６が記録ヘッド２０７を制御して記録を行う。
【００６０】
図１４中のバンドメモリ制御について説明すると次のとおりである。
【００６１】
記録ヘッド２０７における複数のノズルは、例えば、１２００ｄｐｉの密度をなすように列状に形成されている。このような記録ヘッド２０７を用いて画像を記録すべく、キャリッジを１回走査させるときには、副走査方向（以下、「縦（Ｙ方向）」ともいう）においてはノズル数分、主走査方向（以下、「横（Ｘ方向）ともいう」）においては記録領域分の記録データ（１走査分の記録データ）を、予め作成しておく必要がある。記録データは、画像処理部２０１にて作成されてから、バンドメモリ制御部２０３によってバンドメモリ２０４に一旦蓄えられる。バンドメモリ２０４に１走査分の記録データが蓄えられた後、キャリッジが主走査方向に走査される。その際、エンコーダ２０８より入力されたエンコーダパルスがエンコーダカウンタ２０９によってカウントされ、このエンコーダパルスにしたがってバンドメモリ２０４から記録データが読み出され、その画像データに基づいて記録ヘッド２０７からインク滴が吐出される。記録ヘッド２０７の往走査時および復走査時に画像を記録（往路記録および復路記録）する双方向記録方式を採用した場合には、記録ヘッド２０７の走査方向に応じて、バンドメモリ２０４から画像データが読み出される。例えば、往路記録時は、バンドメモリ２０４から読み出される画像データのアドレスが順次インクリメントされ、復路記録時は、バンドメモリ２０４から読み出される画像データのアドレスが順次デクリメントされる。
【００６２】
実際には、画像処理部２０１により作成された画像データ（Ｃ，Ｍ，Ｙ）がバンドメモリ２０４に書き込まれて、１バンド分の画像データが準備されたとき、記録ヘッド２０７の走査が可能となる。そして、記録ヘッド２０７を走査し、バンドメモリ２０４より画像データを読み出して、その画像データに基づいて記録ヘッド２０７が画像を記録する。記録動作の間に、次に記録すべき画像データが画像処理部２０１にて作成され、その画像データは、その記録位置に対応するバンドメモリ２０４の領域に書き込まれる。
【００６３】
このように、バンドメモリ制御は、画像処理部２０１により作成された記録データ（Ｃ，Ｍ，Ｙ）をバンドメモリ２０４に書込む作業と、キャリッジの走査動作に合わせて、記録データ（Ｃ，Ｍ，Ｙ）をヘッド制御部２０６に送るために読み出す作業と、を切替えながら行なう。
【００６４】
図１４中のマスクメモリ制御について説明すると次のとおりである。
【００６５】
このマスクメモリ制御は、マルチパス記録方式を採用した場合に必要となる。マルチパス記録方式の場合、記録ヘッド２０７のノズル列の長さに相当する幅をもつ１行分の記録画像は、記録ヘッド２０７の複数回の走査に分けて記録される。すなわち、副走査方向に間欠的に搬送されるプリント媒体の搬送量がノズル列の長さの１／Ｎとされ、例えば、Ｎ＝２のときは、１行分の記録画像が２回の走査に分けて記録（２パス記録）され、Ｎ＝４のときは、１行分の記録画像が４回の走査に分けて記録（４パス記録）される。同様に、Ｎ＝８のときは８パス記録、Ｎ＝１６のときは１６パス記録となる。したがって、１行分の記録画像が記録ヘッド２０７の複数回の走査によって完成されることになる。
【００６６】
実際には、マスクメモリ２０５に、画像データを記録ヘッド２０７の複数回の走査に割り当てるためのマスクデータが格納されており、そのマスクデータと画像データとの論理積（ＡＮＤ）データに基づき、記録ヘッド２０７がインクを吐出して画像を記録する。
【００６７】
また、図１４において、ＣＦカード１０５に記憶された音声データは、ＡＳＩＣ１０２により、画像データと同じように、インターフェース２１０を介してプリンタ部Ｂ１００へ送られる。プリンタ部Ｂ１００に送られた音声データは、音声エンコーダ２３０においてコード化（エンコード）されて、プリントする画像の中にコードデータとして記録される。プリント画像に音声データを入れる必要の無い時、または、音声データの無い画像をプリントする際には、当然に、コード化された音声データはプリントされず、画像のみがプリントされる。
【００６８】
本実施形態においては、カメラ部Ａ１００とプリンタ部Ｂ１００が一体となったプリンタ内蔵カメラとして説明を行なってきた。しかし、カメラ部Ａ１００とプリンタ部Ｂ１００を分離した別々の装置とし、それらをインターフェース２１０により接続した構成においても同様に構成して、同様の機能を実現することが可能である。
【００６９】
以上説明したプリンタ内蔵カメラに関する本発明の第１〜第６実施形態をを以下に説明する。
【００７０】
＜第１実施形態＞
本実施形態は、上述したプリンタ内蔵カメラにおいて、記録紙のサイズ情報に基づいて、記録出力する画像のサイズを変更する等の画像処理を行なう。
【００７１】
図１５(ａ)および(ｂ)は、図１〜図１４にて説明したプリンタ内蔵カメラのそれぞれレンズ側およびファインダ側の概略を示す図であり、メディアパック６０８(Ｃ１００)が装填され、記録が行なわれるときの状態を示している。図１５において、図１〜図１４に示した要素と同一の要素には同一の符号を付してその説明を省略する。
【００７２】
図１５(ａ)および(ｂ)において、６０２は電源スイッチであり、このスイッチの操作によって撮影や記録を行なう際に本カメラの電源を投入することができる。また、６０７は撮影／記録モード設定ボタンであり、このボタンの操作によって本カメラの撮影モードまたは記録モードを設定することができる。さらに、６１０はプリントボタンであり、このボタンの押下により本カメラにおける記録動作を開始することができる。６１３および６１４はそれぞれ送りボタンおよび戻りボタンであり、こららのボタンの操作によって液晶表示部Ａ１０６に表示される画面の変更または設定を行なうことができる。詳細には、撮像した画像またはプリントしようとする画像を表示しているときはその表示画像の変更を行なうことができ、以下の図１６で説明される記録紙サイズやそれに応じた処理画像を表示しているときは、その内容についての設定または設定解除を行なうことができる。
【００７３】
図１５(ａ)および(ｂ)に示すように、記録時には、メディアパックＣ１００を挿入部Ａ００２に挿入されて本カメラに装着される。そして、プリントボタン６１０の押下に応じて記録動作が開始され、ＣＦカードに記憶された撮像画像のプリントが行なわれる。カメラに内蔵される上述のプリンタ部によって記録がなされた記録紙６０９は、カメラ本体において上記挿入部Ａ００２とは反対側の側端部に設けられた排出部Ａ１０９より排出される。
【００７４】
図１６は、本実施形態のプリンタ内蔵カメラにおける撮像処理および記録処理を示すフローチャートである。
【００７５】
本処理は、ステップ＃１で本処理がスタートする。具体的には、ステップ＃２でユーザ(操作者)が電源スイッチ６０２を押下するのを待機し、これが押下されると、ステップ＃３で、メディアパックＣ１００が装填されているか否かを判断する。ここで、メディアパックが装着されていると判断すると、ステップ＃４で撮影モードか否かを判断する。すなわち、ステップ＃４では、撮影／記録モード設定ボタン６０７によって撮影モードに設定されたか否かを判断する。
【００７６】
ここで、撮影モードのときは次のステップ＃５へ進み、一方、記録モードであると判断したときはステップ＃１7に進む。ステップ＃５では、装着されているメディアパックＣ１００に設けられた記憶媒体（ＥＥＰＲＯＭ２２４、図１２参照）に書き込まれた記録紙サイズ情報を読み出す。
【００７７】
そして、ステップ＃６で、上記読み出された記録紙サイズ情報をメモリ２０２（図１２参照）に一時的に格納する。さらに、ステップ＃７では，操作者に対して、現在装着されているメディアパックＣ１００が保持する記録紙のサイズ情報を報知するため、記録紙サイズ情報を液晶ディスプレイ（ＬＣＤ）Ａ１０６に表示する。
【００７８】
これに対し、操作者は送りボタン６１３およびもどりボタン６１４を操作して確認のための操作を行なうことができ、ステップ＃８では、これらのボタンの操作を判断する。すなわち、現在表示されている記録紙サイズ、すなわち現在装着されているメディアパックに保持される記録紙のサイズが操作者が意図しているものでなく、戻りボタン６１４を押下して現在の記録紙サイズの設定を解除したときは、ステップ＃3へ戻り、他のサイズの記録紙を保持した別のメディアパックの装着を待機する。
【００７９】
一方、ステップ＃８において、表示されている記録紙のサイズでよく操作者が送りボタン６１３によって設定の操作したことを判断すると、ステップ＃９で、操作者がレリーズボタンＡ１０４の第１段階の押下を行なうことを待機する。
【００８０】
なお、本実施形態では、メディアパックが保持している記録紙のサイズ(すなわち、メディアパックの種類)として、５４０ｍｍ×８６０ｍｍ、Ａ４、Ｂ５、Ａ３の４種類であるが、本発明の適用がこれらのサイズに限られないことはもちろんである。
【００８１】
上記第１段階の押下がなされると、ステップ＃１０では，撮像部において露出制御値、測距情報、ストロボ発光の有無等、露出動作に必要な諸条件の設定を行う。そして、ステップ＃１１では、レリーズボタンの第２段階の押下が行なわれるのを待機する。
【００８２】
第２段階の押下がなされると、ステップ＃１２において、撮像部により焦点あわせのためのレンズ駆動やシャッターの速度制御、絞りの開口量制御、必要に応じてストロボ発光等の一連の露光動作を行う。そして、ステップ＃１３では、撮像部によって撮像された画像情報をＣＦカード１０５(図１3参照)に格納する。
【００８３】
次に、ステップ＃１４で、メモリ２０２に格納される記録紙のサイズ情報に基づき、ＣＦカード１０５に格納された記録対象画像情報に対して、実際に上記サイズの記録紙に記録される画像を表示するための画像処理を行う。この処理は、現在装着されているメディアパックに保持されている記録紙のサイズ情報と、本実施形態のプリンタ部の記録解像度と上記サイズ情報から決定される記録ドット数とを比較し、その比較に応じて、記録対象である画像情報の拡大または縮小処理を行なうものである。そして、その結果を表示用のデータとして処理する。なお、さらに、そのように決定された画像情報のサイズと上記記録紙のサイズとを比較し、記録紙の余白と画像とのコントラストの程度を求め、これに応じて色補正処理を行なうようにしてもよい。
【００８４】
次に、ステップ＃１５では、以上のように求めた画像情報を液晶ディスプレイＡ１０６に表示する。図１７はこの表示例を模式的に示す図である。同図において、７０２は記録紙とそれに記録された状態の画像情報の表示画像であり、また、この表示と併せて記録紙のサイズの表示７０３もなされる。
【００８５】
以上が、主に撮像部における処理であり、撮影モードでは以上の処理が繰り返される(厳密には、ステップ＃１７までの処理が繰り返され、その間の撮影モードの解除は、上述した撮影／記録モード設定ボタン６０７の切替え操作によって可能となる。)。
【００８６】
次に、ステップ＃１６では、操作者はＬＣＤ  Ａ１０５に表示されてい画像を記録対象としてよいか否かの操作を行なう。すなわち、ステップ＃８で説明したように、操作者が、送りボタン６１３を押下して表示される画像でよいとしたときは、これを検出し、ＣＦカード１０５の記録対象画象領域にその画像情報を格納してステップ＃１７へ進む。一方、操作者が戻りボタン６１４を押下して表示される画像の記録を行わない旨の操作をしたときは、ステップ♯９へ戻り、次の撮影を待機し、撮影が行なわれたときは、ステップ♯１２以降の処理を再度繰り返す。
【００８７】
なお、ステップ♯９で、所定時間レリーズボタンＡ１０４が押されないときは、ステップ♯３へ戻り、それ以降の処理を繰り返して記録紙サイズの確認等の処理を再度行なうようにしても良い。
【００８８】
ステップ＃１７では、操作者が、撮影した画像の記録を所望して撮影／記録モード設定ボタン６０７を操作することにより記録モードが設定されたか否かを判断する。設定されたときは、次のステップ＃１８へ進み、記録モードが設定されないときは、ステップ＃５へ処理を移行する。
【００８９】
ステップ＃１８では、操作者が、送りボタン６１３または戻しボタ６１４を操作することにより、ステップ♯１４、♯１５の処理と同様にしてＣＦカード１０５の記録対象画象領域に格納される画像情報をメモリ２０２に記憶される記録紙のサイズ情報に基づき、順に液晶ディスプレイ１０６に表示させる。そして、操作者は、その表示画像を見ながら記録すべき画像を検索し、所望の画像を表示している時に、プリントボタン６１０を押下することができる。ステップ＃１８ではこのボタンの押下を待機し、これを検出すると、次のステップ＃１９でへ進み、プリンタ部において記録ヘッドによる予備吐出やノズルを介した吸引回復などの吐出回復処理等の初期処理を行なう。そして、ステップ＃２０で、ステップ♯１４にて説明した処理と同様の処理を行なう。すなわち、メモリ２０２に格納される記録紙のサイズ情報に基づき、ＣＦカードに格納された記録対象画像情報に対して、記録する際の画像サイズを決定する画像処理を行う。詳細には、記録紙のサイズ情報と、本実施形態のプリンタ部の記録解像度と上記サイズ情報から決定される記録ドット数とを比較し、その比較に応じて、記録対象である画像情報の拡大または縮小処理を行なう。
【００９０】
そして、ステップ＃２１では、プリンタ部において、画像サイズの決定が行われた画像情報に基づいて記録を行ない、ステップ＃２２で、記録済みの記録紙が記録紙排出口Ａ１０９から排出して本処理を終了し、ステップ♯１に戻る。
【００９１】
＜第２実施形態＞
本実施形態は、メディアパックに格納されている記録紙が複数の記録領域に分割され、それぞれがシールの形態で後に剥がして用いることができるものである。そして、その分割数Ｎが異なるメディアパックがそれぞれ用意されており、本実施形態は、この分割数情報を装着されるメディアパックから読出し、それに応じて画像処理および記録制御を行なうものである。
【００９２】
図１８は、メディアパックに格納されている記録紙を模式的に示す図である。同図において、９０１は記録紙の基紙であり、９０２は記録紙、９０３はその記録紙が８つに分割されて形成される一つの記録領域を示す。なお、９０４は、これらの分割記録領域９０３に、次に説明するように、同じ画像Ａをマルチプリントしたときを想定して示すものである。
【００９３】
本実施形態の撮影および記録の処理は、第１実施形態について図１６を参照して説明した処理と基本的には同じであり、異なる点は、メディアパックから読み出す情報およびそれに応じた画像処理等の内容である。
【００９４】
すなわち、本実施形態のプリンタ内蔵カメラに装着されたメディアパックのＥＥＰＲＯＭ２２４に格納された記録紙の種類情報、すなわち、記録領域の分割数を検出する(図１６のステップ♯５に対応)。そして、この検出した記録紙の種類情報である分割数を液晶ディスプレイ（ＬＣＤ）Ａ１０６に表示する(図１６のステップ♯７に対応)。そして、撮影によってＣＦカード１０５に格納された画像情報に対して、上記検出した記録紙の種類情報、すなわち、分割数に応じて、その画像を分割した記録領域ごとにそれぞれ表示する画像処理を行なう。詳しくは、ＣＦカードに格納される上記の画像情報を、分割数であるＮ回読み出して分割数に応じた縮小処理を行い、それを分割領域ごとに表示するための処理を行なう(図１６のステップ♯１４、♯１５に対応)。
【００９５】
図１９は液晶ディスプレイ（ＬＣＤ）Ａ１０６の表示内容を模式的に示す図である。同図において、１００２は、記録対象画像Ａを分割数(図示の例では、８分割)に応じて分割したときの、その分割領域ごとの表示であり、１００３は、記録紙の種類であるＮ(図示の例では８)分割シール紙の表示である。
【００９６】
以上の撮影に関する処理に対し、記録処理では、上記と同様にして、プリンタ部のメモリ２０２(図１２参照)に格納された記録紙の種類情報、すなわち、分割数Ｎに基づき、ＣＦカード１０５に格納された同一の記録対象画像情報をＮ回連続して読出してそれぞれ所定の縮小処理を行い、分割数に応じた画像情報を作成し、これに基づいて記録を行なう(図１６のステップ♯２２のあと♯２１に戻って、♯２１、♯２２を繰り返すことに対応)。
【００９７】
なお、上記記録紙の種類にかかる分割数としては、上記の説明で例示した８の他に、１２、１６等も可能であり、本発明の適用が分割数によって限定されないことは明らかである。
【００９８】
＜第３実施形態＞
本実施形態は、上記第２実施形態の変形例に関するものである。すなわち、メディアパックに格納されている記録紙が複数の記録領域に分割されている場合に、それぞれの領域に異なる画像を記録するよう画像処理および記録制御を行なうものである。
【００９９】
すなわち、メディアパックに格納された記録紙自体は図２０に示すように、上記第２実施形態について図１８に示したものと変わりはない(なお、これらの図では記録される画像が示されるが記録される前の記録紙自体は同じものである。)。しかし、本実施形態では、図２０に示すように、分割した領域それぞれに異なる画像Ａ〜Ｈが記録される。
【０１００】
本実施形態の撮影および記録の処理も、第１実施形態について図１６を参照して説明した処理と基本的には同じであり、異なる点は、以下で説明するようにメディアパックから読み出す情報およびそれに応じた画像処理等の内容である。また、分割に関する処理は、上述した第２実施形態と基本的に同様であるが、次の点で異なる。
【０１０１】
撮影によってＣＦカード１０５に格納された画像情報に対して、上記検出した記録紙の種類情報、すなわち、分割数に応じて、その画像を分割した記録領域ごとにそれぞれ表示する画像処理を行なうが、その際、ＣＦカードに格納される異なるＮ個の画像情報を順次読み出す。そして、それぞれに分割数に応じた縮小処理を行い、それを分割領域ごとに表示するための処理を行なう(図１６のステップ♯１４、♯１５に対応)。
【０１０２】
図２１はその表示内容を模式的に示す図である。同図に示す様に、記録対象画像として、それぞれ異なるＮ個の画像(図示の例では、８個の画像Ａ〜Ｈ)が表示される。
【０１０３】
また、記録処理では、上記と同様にして、プリンタ部のメモリ２０２(図１２参照)に格納された記録紙の種類情報、すなわち、分割数Ｎに基づき、ＣＦカード１０５に格納されたそれぞれ異なるＮ個の記録対象画像情報を順時読出してそれぞれ所定の縮小処理を行い、記録紙１枚分の画像情報を作成し、これに基づいて記録を行なう(図１６のステップ♯２１、♯２２に対応)。
【０１０４】
なお、記録する画像の設定は、図１６のステップ♯１８の記録画像をサーチする操作で、操作者が所定のキー等を操作することによって任意の画像を選択することができる。
【０１０５】
＜第４実施形態＞
本実施形態は、上記第２実施形態の他の変形例に関するものである。すなわち、撮像画像を格納するＣＦカード１０５から、分割数Ｎに応じて、Ｍ（＜Ｎ）種類の画像を各々少なくとも１回以上ずつ読み出して、最終的に合計Ｎ個の画像を記録するものである。
【０１０６】
すなわち、メディアパックに格納された記録紙自体は図２２に示すように、上記第２および第３実施形態について図１８、図２０に示したものと変わりはない(なお、これらの図では記録される画像が示されるが記録される前の記録紙自体は同じものである。)。しかし、本実施形態では、図２２に示すように、分割した領域それぞれにＭ(３)種類の異なる画像Ａ、Ｂ、Ｃが記録される。
【０１０７】
本実施形態の撮影および記録の処理も、第１実施形態について図１６を参照して説明した処理と基本的には同じであり、異なる点は、以下で説明するようにメディアパックから読み出す情報およびそれに応じた画像処理等の内容である。また、分割に関する処理は、上述した第３実施形態と基本的に同様であるが、次の点で異なる。
【０１０８】
撮影によってＣＦカード１０５に格納された画像情報に対して、上記検出した記録紙の種類情報、すなわち、分割数に応じて、その画像を分割した記録領域ごとにそれぞれ表示する画像処理を行なうが、その際、ＣＦカードに格納される異なるＭ種類の画像情報を、それぞれを記録する数だけ順次読み出す。例えば、図２２に示す例では、画像Ａを４回、画像Ｂを３回、画像Ｃを１回それぞれ読み出す。そして、それぞれに分割数に応じた縮小処理を行い、それを分割領域ごとに表示するための処理を行なう(図１６のステップ♯１４、♯１５に対応)。
【０１０９】
図２３はその表示内容を模式的に示す図である。同図に示す様に、記録対象画像として、それぞれＭ(３)種類の異なる画像が表示される。
【０１１０】
また、記録処理では、上記と同様にして、プリンタ部のメモリ２０２(図１２参照)に格納された記録紙の種類情報、すなわち、分割数Ｎに基づき、ＣＦカード１０５に格納されたそれぞれＭ種類の異なる記録対象画像情報を順時読出してそれぞれ所定の縮小処理を行い、記録紙１枚分の画像情報を作成し、これに基づいて記録を行なう(図１６のステップ♯２１、♯２２に対応)。
【０１１１】
なお、記録する画像の設定は、上記第３実施形態と同様、図１６に示すステップ♯１８の記録画像をサーチする操作で、操作者が所定のキー等を操作することによって行なうことができる。
【０１１２】
なお、画像の配置も使用者が設定できる様にしている。例えば、8分割シール（縦2枚、横4枚の配置とする）に2種類の画像を4枚ずつプリントする場合を考える。このとき縦2枚横2枚の2つの領域に、1種類を配置すると、4人で切り取って配分するときに、1枚ずつ切り取って8枚に分割する必要がある。
しかし、各種を縦1枚横4枚に配置するようにすれば、4人で切り取って配分するときには、縦に4分割すれば、各人が、各種1枚ずつ分配することが出来、切り取り作業が楽になる。
【０１１３】
また、モザイク画像のように配置を楽しむことも出来る。
【０１１４】
このように、複数種類の画像を用いて、複数枚の画像を分割プリントする場合には、画像の配置も設定できる方が便利である。なお、この配置は、1枚ずつ使用者に設定させても良いし、装置が複数種類の配置を提供して、使用者に選択させてもよい。
【０１１５】
また、分割数Ｎに基づく各分割領域への記録について、以上説明した第２〜第４実施形態の記録を、記録モードとして相互に切替えて実行できるようにしても良い。
【０１１６】
＜第５実施形態＞
本実施形態は、メディアパックに格納されている記録紙の材質によって分けられる記録紙の種類について複数の異なるメディアパックがそれぞれ用意されており、本実施形態は、この記録紙種類情報を装着されるメディアパックから読出し、それに応じて画像処理および記録制御を行なうものである。
【０１１７】
記録紙の種類としては、普通紙、コート紙、光沢紙、フォト紙、光沢フィルムを挙げることができる。本実施形態では、このような記録紙の種類によってインクの吸収性が異なることに起因した記録画像において実現される濃度や発色の違いに応じて画像処理パラメータを予め設定して用意し、メディアパックから読み出される記録紙の種類情報に応じて対応するパラメータを用いて画像処理を行なうものである。具体的には、記録紙に定着したインクの光吸収特性にかかわるマスキング処理、各ノズルに対応したインク吐出量にかかわるガンマ補正処理、黒濃度の実現に係わる黒生成処理の各パラメータを、記録紙の種類情報に応じて用いる。例えばコート紙の場合、インクの吸収性が比較的良いため、記録ヘッドのノズル全体についてガンマ補正値を濃度が高くなるように設定する。なお、例えば普通紙以外の記録紙が用いられる場合は、さらに、記録画像の階調性を良好に実現するため、２値化処理に係るディザ法や誤差拡散法等の処理内容を変更するようにしても良い。
【０１１８】
本実施形態の撮影および記録の処理についても、第１実施形態について図１６を参照して説明した処理と基本的には同じであり、異なる点は、メディアパックから読み出す情報およびそれに応じた画像処理等の内容である。
【０１１９】
すなわち、本実施形態のプリンタ内蔵カメラに装着されたメディアパックのＥＥＰＲＯＭ２２４に格納された記録紙の種類情報を読取る(図１６のステップ♯５に対応)。そして、この読取った記録紙の種類情報を液晶ディスプレイ（ＬＣＤ）Ａ１０６に表示する(図１６のステップ♯７に対応)。そして、撮影によってＣＦカード１０５に格納された画像情報に対して、上述したように、読み出した記録紙の種類情報に応じた画像処理パラメータを所定のメモリから読み出し、そのパラメータを用いてそれぞれの画像処理を行なう。詳しくは、それぞれマスキング処理、黒生成処理およびガンマ補正処理では、それぞれメディアパックに格納されている記録紙の種類に応じた画像処理を行い、さらにそれによって得られた画像情報を表示するための処理を行なう(図１６のステップ♯１４、♯１５に対応)。
【０１２０】
図２４はその表示内容を模式的に示す図である。同図では、メディアパックに格納される記録紙の種類として光沢紙の場合が示される。
【０１２１】
以上の撮影に関する処理に対し、記録処理では、上記と同様にして、プリンタ部のメモリ２０２(図１２参照)に格納された記録紙の種類情報に基づき、ＣＦカード１０５に格納された記録対象画像情報に対して、上述したように記録紙の種類に応じた画像処理を行なって画像情報を作成し、これに基づいて記録を行なう(図１６のステップ♯２１、♯２２に対応)。
【０１２２】
＜第６実施形態＞
本実施形態は、メディアパックに格納されているインクの種類について複数の異なるメディアパックがそれぞれ用意されており、本実施形態は、このインク種類情報を装着されるメディアパックのＲＯＭから読出し、それに応じて画像処理および記録制御を行なうものである。
【０１２３】
インクの種類としては、モノクロ用インク、標準カラー用インク、フォトカラー用インクを挙げることができる。本実施形態では、上記第５実施形態と同様に、このようなインクの種類によって記録紙に対する相対的なインクの吸収性が異なり、それに応じた記録画像において実現される濃度や発色の違いに応じて画像処理パラメータを予め設定して用意し、メディアパックから読み出されるインクの種類情報に応じて対応するパラメータを用いて画像処理を行なうものである。また、フォトカラー用インクが用いられる場合は、さらに、記録画像の階調性を良好に実現するため、２値化処理に係るディザ法や誤差拡散法等の処理内容を変更するようにしても良い。
【０１２４】
本実施形態の撮影および記録の処理についても、第１実施形態について図１６を参照して説明した処理と基本的には同じであり、異なる点は、メディアパックから読み出す情報およびそれに応じた画像処理等の内容である。
【０１２５】
すなわち、本実施形態のプリンタ内蔵カメラに装着されたメディアパックのＥＥＰＲＯＭ２２４に格納されたインクの種類情報を読取る(図１６のステップ♯５に対応)。そして、この読取ったインクの種類情報を液晶ディスプレイ（ＬＣＤ）Ａ１０６に表示する(図１６のステップ♯７に対応)。そして、撮影によってＣＦカード１０５に格納された画像情報に対して、上述したように、読み出したインクの種類情報に応じた画像処理パラメータを所定のメモリから読み出し、そのパラメータを用いてそれぞれの画像処理を行なう (図１６のステップ♯１４、♯１５に対応)。
【０１２６】
図２５はその表示内容を模式的に示す図である。同図では、メディアパックに格納されるインクの種類として標準カラー用インクの場合が示されている。
【０１２７】
以上の撮影に関する処理に対し、記録処理では、上記と同様にして、プリンタ部のメモリ２０２(図１２参照)に格納されたインクの種類情報に基づき、ＣＦカード１０５に格納された記録対象画像情報に対して、上述したようにインクの種類に応じた画像処理を行なって画像情報を作成し、これに基づいて記録を行なう(図１６のステップ♯２１、♯２２に対応)。
【０１２８】
以上説明したプリンタ内蔵カメラに関する第１〜第６実施形態に対し、それぞれ同一の内容のプリンタに関する第７〜第１２実施形態について以下に説明する。
【０１２９】
＜第７実施形態＞
図２６は本実施形態にかかるインクジェットプリンタの、主に画像処理および記録制御にかかる構成を機能別に示すブロック図である。なお、同図に示す機能要素は、ＣＰＵやＲＯＭ。ＲＡＭ等により実現されるものであり、実際の装置では共通の要素によって実現されるものもあることは勿論である。
【０１３０】
図２６において、１１０１は制御装置、１１０２は記録情報に基づき被記録媒体である記録紙に記録を行なう機構であるプリンタ部である。１１０３は上記プリンタ部を制御するプリンタ制御部、１１０４は、以下で説明する画像情報及び記録紙情報等を表示する液晶ディスプレイに表示するための表示手段である。１１０５は画像情報を記憶する第１メモリ、１１０６は以下で説明されるように、現在装着されているメディアパックのＲＯＭ２２４に記憶されている記録紙のサイズ等を検出する検出手段である。
【０１３１】
１１０７は上記メディアパックに格納される記録紙情報等液晶ディスプレイに表示する表示手段である。１１０８は検出手段１１０６によって検出された記録紙のサイズ等を一時的に記憶する第２メモリである。また、１１０９は検出手段１１０６によって検出された記録紙のサイズ情報等に基づいて，第１メモリ１１０５に記憶される画像情報を、表示手段１１０４によって液晶ディスプレイに表示する画像表示手段である。
【０１３２】
１１１０は上記メディアパックのＲＯＭから検出手段１１０６によって検出された記録紙のサイズ情報等に応じて、第１メモリ１１０５に記憶される画像情報を記録する際の処理を決定する画像処理手段、１１１１は第２メモリ１１０８に記憶される記録紙のサイズ情報等に基づいて、記録制御を行う記録制御手段である。
【０１３３】
さらに、１１１２は電源スイッチ、１１１３はプリントボタンである。
【０１３４】
図２７は上記プリンタに装着されるメディアパックに格納される、一枚分の記録紙の一例を模式的に示す図である。
【０１３５】
図において、３０１は記録紙の基紙、３０２は画像情報を記録するための記録紙、３０３は画像情報を記録するための記録領域である。
【０１３６】
図２８は、本実施形態のプリンタで用いられるメディアパックを模式的に示す図である。
【０１３７】
同図において、２２４は、以下で示すように、記録紙のサイズ等の情報を格納したＥＥＰＲＯＭ、４０２は複数枚（たとえば２０枚）がセットで格納される記録紙、４０３は上記記録紙４０２のセット、インクおよび上記ＥＥＰＲＯＭ２２４を有したメディアパックである。
【０１３８】
図２９は、本実施形態のプリンタの外観を示す概略図である。
【０１３９】
同図において、５０１は電源スイッチ、５０２はプリントボタン、５０３は液晶ディスプレイ（ＬＣＤ）、５０４は本プリンタに着脱可能に装填されるメディアパック(４０３)、５０５はメディアパック５０４（４０３）から出力されて記録がなされて排出される記録済み記録紙、５０６はメディアパックの装着口、５０７は印刷済み記録紙の排出口である。
【０１４０】
本実施形態は、以上説明したプリンタにおいて、前述した第１実施形態と同様の処理を行なう。すなわち、メディアパックに格納される記録紙のサイズ情報に応じて、画像処理および記録制御を行なう。
【０１４１】
図３０は本実施形態にかかる記録処理を示すフローチャートである。
【０１４２】
本処理は、ステップ＃１０１で本処理がスタートする。具体的には、ステップ＃１０２でユーザ(操作者)が電源スイッチ５０１を押下するのを待機し、これが押下されると、ステップ＃１０３で、操作者によって，メディアパック５０４が装填されたか否かを判断する。
【０１４３】
ここで、メディアパックが装着されていると判断すると、ステップ＃１０４で、装着されているメディアパック５０４に設けられたＥＥＰＲＯＭ２２４に書き込まれた記録紙サイズ情報を読み出す。そして、ステップ＃１０５で、上記読み出された記録紙サイズ情報を第２メモリ１１０８に一時的に格納する。さらに、ステップ＃１０６では，操作者に対して、現在装着されているメディアパック５０４が保持する記録紙のサイズ情報を報知するため、記録紙サイズ情報を液晶ディスプレイ（ＬＣＤ）５０３に表示する。
【０１４４】
これに対し、操作者は所定の操作ボタン等を操作して確認のための操作を行なうことができ、ステップ＃１０７では、これらのボタンの操作を判断する。すなわち、現在表示されている記録紙サイズ、すなわち現在装着されているメディアパックに保持される記録紙のサイズが操作者が意図しているものでなく、上記ボタン等の所定の操作によって現在の記録紙サイズの設定を解除したときは、ステップ＃１０３へ戻り、他のサイズの記録紙を保持した別のメディアパックの装着を待機する。
【０１４５】
一方、ステップ＃１０７において、表示されている記録紙のサイズでよく操作者が設定のための所定の操作をしたことを判断すると、ステップ＃１０８で、記録すべき画像情報がホスト装置等から受信したか否かを判断する。すなわち、ここでは、記録のための画像情報の受信を待機する。画像情報が送られてくると、ステップ＃１０９で、その情報を第１メモリ１１０５に格納する。
【０１４６】
次に、ステップ＃１１０で、第２メモリ１１０８に格納される記録紙のサイズ情報に基づき、第１メモリ１１０５に格納された記録対象画像情報に対して、実際に上記サイズの記録紙に記録される画像を表示するための画像処理を行う。この処理は、第１実施形態で説明したのと同様、現在装着されているメディアパックに保持されている記録紙のサイズ情報と、本実施形態のプリンタ部の記録解像度と上記サイズ情報から決定される記録ドット数とを比較し、その比較に応じて、記録対象である画像情報の拡大または縮小処理を行なうものである。そして、その結果を表示用のデータとして処理する。なお、さらに、そのように決定された画像情報のサイズと上記記録紙のサイズとを比較し、記録紙の余白と画像とのコントラストの程度を求め、これに応じて色補正処理を行なうようにしてもよい。
【０１４７】
次に、ステップ＃１１１では、以上のように求めた画像情報を液晶ディスプレイ５０３に表示する。図１７はカメラの表示部の説明であるが、本実施例において、この図と同様に表示させている。
【０１４８】
次に、ステップ＃１１３では、プリントボタン５０２が押下されたか否かを判断する。押下されたときは、次のステップ＃１１４でへ進み、プリンタ部において記録ヘッドによる予備吐出やノズルを介した吸引回復などの吐出回復処理等の初期処理を行なう。そして、ステップ＃１１５で、ステップ♯１１０にて説明した処理と同様の処理を行なう。すなわち、第２メモリに格納される記録紙のサイズ情報に基づき、第１メモリに格納された記録対象画像情報に対して、記録する際の画像サイズを決定する画像処理を行う。詳細には、記録紙のサイズ情報と、本実施形態のプリンタ部の記録解像度と上記サイズ情報から決定される記録ドット数とを比較し、その比較に応じて、記録対象である画像情報の拡大または縮小処理を行なう。
【０１４９】
そして、ステップ＃１１６では、プリンタ部において、画像サイズの決定が行われた画像情報に基づいて記録を行ない、ステップ＃１１７で、記録済みの記録紙が記録紙排出口５０７から排出して本処理を終了し、ステップ♯１０１に戻る。
【０１５０】
＜第８実施形態＞
本実施形態は、上述した第２実施形態と同様のもである。すなわち、記録領域の分割数Ｎが異なるメディアパックがそれぞれ用意されており、この分割数情報を装着されるメディアパックから読出し、それに応じて画像処理および記録制御を行なうものである。
【０１５１】
図３１は本実施形態の記録処理を示すフローチャートであり、同記録処理は、第７実施形態について図３０を参照して説明した処理と基本的には同じであり、異なる点は、メディアパックから読み出す情報およびそれに応じた画像処理等の内容である。
【０１５２】
以下、第2実施例と異なる点のみ説明する。本実施形態のプリンタ内蔵カメラに装着されたメディアパックのＥＥＰＲＯＭ２２４に格納された記録紙の種類情報、すなわち、記録領域の分割数を検出する(ステップ♯２０４)。そして、この検出した記録紙の種類情報である分割数を液晶ディスプレイ（ＬＣＤ）５０３に表示する(ステップ♯２０６)。そして、第１メモリ１１０５に格納された画像情報に対して、上記検出した記録紙の種類情報、すなわち、分割数に応じて、その画像を分割した記録領域ごとにそれぞれ表示する画像処理を行なう。詳しくは、第１メモリに格納される上記の画像情報を、分割数であるＮ回連続的に読み出して分割数に応じた縮小処理を行い、それを分割領域ごとに表示するための処理を行なう(ステップ♯２１０、♯２１１)。
【０１５３】
第２実施形態でも説明したように、図１９はその表示内容を模式的に示す図である。同図において、１００２は、記録対象画像Ａを分割数(図示の例では、８分割)に応じて分割したときの、その分割領域ごとの表示であり、１００３は、記録紙の種類であるＮ(図示の例では８)分割シール紙の表示である。
【０１５４】
そして、第２メモリ１１０８に格納された記録紙の種類情報、すなわち、分割数Ｎに基づき、第１メモリ１１０５に格納された記録対象画像情報をＮ回読出してそれぞれ所定の縮小処理を行い、分割数に応じた画像情報を作成し、これに基づいて記録を行なう(ステップ♯２１５、♯２１６に対応)。
【０１５５】
＜第９実施形態＞
本実施形態は、上記第８実施形態の変形例に関し、上述した第３実施形態と同様のものである。すなわち、メディアパックに格納されている記録紙が複数の記録領域に分割されている場合に、それぞれの領域に異なる画像を記録するよう画像処理および記録制御を行なうものである。
【０１５６】
本実施形態の撮影および記録の処理は、第７および第８実施形態についてそれぞれ図３０、図３１を参照して説明した処理と基本的には同じであり、異なる点は、以下で説明するようにメディアパックから読み出す情報およびそれに応じた画像処理等の内容である。また、分割に関する処理は、上述した第８実施形態と基本的に同様であるが、次の点で異なる。
【０１５７】
第１メモリ１１０５に格納された画像情報に対して、上記検出した記録紙の種類情報、すなわち、分割数に応じて、その画像を分割した記録領域ごとにそれぞれ表示する画像処理を行なうが、その際、第１メモリに格納される異なるＮ個の画像情報を順次読み出す。そして、それぞれに分割数に応じた縮小処理を行い、それを分割領域ごとに表示するための処理を行なう(図３１のステップ♯２１０、♯２１１に対応)。
【０１５８】
第３実施形態で説明したように、図２１はカメラの表示部の説明であるが、本実施例において、この図と同様に表示させている。同図に示す様に、記録対象画像として、それぞれ異なるＮ個の画像(図示の例では、８個の画像Ａ〜Ｈ)が表示される。
【０１５９】
そして、第２メモリ１１０８に格納された記録紙の種類情報、すなわち、分割数Ｎに基づき、第１メモリ１１０５に格納されたそれぞれ異なるＮ個の記録対象画像情報を順時読出してそれぞれ所定の縮小処理を行い、記録紙１枚分の画像情報を作成し、これに基づいて記録を行なう(図３１のステップ♯２１５、♯２１６に対応)。
【０１６０】
＜第１０実施形態＞
本実施形態は、上記第８実施形態の他の変形例に関し、上述した第４実施形態と同様のものである。すなわち、画像情報を格納する第１メモリ１１０５から、分割数Ｎに応じて、Ｍ（＜Ｎ）種類の画像を各々少なくとも１回以上ずつ読み出して、最終的に合計Ｎ個の画像を記録するものである。
【０１６１】
本実施形態の撮影および記録の処理も、第７および第８実施形態について図３０、図３１を参照して説明した処理と基本的には同じであり、異なる点は、以下で説明するようにメディアパックから読み出す情報およびそれに応じた画像処理等の内容である。また、分割に関する処理は、上述した第９実施形態と基本的に同様であるが、次の点で異なる。
【０１６２】
第１メモリ１１０５に格納された画像情報に対して、上記検出した記録紙の種類情報、すなわち、分割数に応じて、その画像を分割した記録領域ごとにそれぞれ表示する画像処理を行なうが、その際、第１メモリに格納される異なるＭ種類の画像情報を、それぞれを記録する数だけ順次読み出す。例えば、第４実施形態で説明したように、図２２に示す例では、画像Ａを４回、画像Ｂを３回、画像Ｃを１回それぞれ読み出す。そして、それぞれに分割数に応じた縮小処理を行い、それを分割領域ごとに表示するための処理を行なう(図３１のステップ♯２１１、♯２１２に対応)。
【０１６３】
図２３はカメラの表示部の説明であるが、本実施例において、この図と同様に表示させている。同図に示す様に、記録対象画像として、それぞれＭ(３)種類の異なる画像が表示される。
【０１６４】
そして、第２メモリ１１０８に格納された記録紙の種類情報、すなわち、分割数Ｎに基づき、第１メモリ１１０５に格納されたそれぞれＭ種類の異なる記録対象画像情報を順時読出してそれぞれ所定の縮小処理を行い、記録紙１枚分の画像情報を作成し、これに基づいて記録を行なう(図３１のステップ♯２１５、♯２１６に対応)。
【０１６５】
＜第１１実施形態＞
本実施形態は、上述した第５実施形態と同様のものである。すなわち、メディアパックに格納されている記録紙の材質によって分けられる記録紙の種類について複数の異なるメディアパックがそれぞれ用意されており、この記録紙種類情報を装着されるメディアパックから読出し、それに応じて画像処理および記録制御を行なうものである。
【０１６６】
図３２は、本実施形態にかかる記録処理のフローチャートであり、同記録処理についても、第７実施形態について図３０を参照して説明した処理と基本的には同じであり、異なる点は、メディアパックから読み出す情報およびそれに応じた画像処理等の内容である。
【０１６７】
すなわち、本実施形態のプリンタ内蔵カメラに装着されたメディアパックのＥＥＰＲＯＭ２２４に格納された記録紙の種類情報を読取る(ステップ♯３０４)。そして、この読取った記録紙の種類情報を液晶ディスプレイ（ＬＣＤ）５０３に表示する(ステップ♯３０６)。そして、第１メモリ１１０５に格納された画像情報に対して、上述したように、読み出した記録紙の種類情報に応じた画像処理パラメータを所定のメモリから読み出し、そのパラメータを用いてそれぞれの画像処理を行なう。 (ステップ♯３１０、♯３１１)。
【０１６８】
第５実施形態について示したように、図２４はその表示内容を模式的に示す図である。同図では、メディアパックに格納される記録紙の種類として光沢紙の場合が示される。
【０１６９】
そして、第２メモリ１１０８に格納された記録紙の種類情報に基づき、第１メモリ１１０５に格納された記録対象画像情報に対して、上述したように記録紙の種類に応じた画像処理を行なって画像情報を作成し、これに基づいて記録を行なう(ステップ♯３１５、♯３１６)。
【０１７０】
＜第１２実施形態＞
本実施形態は、上述した第６実施形態と同様のものであり、メディアパックに格納されているインクの種類について複数の異なるメディアパックがそれぞれ用意されており、このインク種類情報を装着されるメディアパックのＲＯＭから読出し、それに応じて画像処理および記録制御を行なう。
【０１７１】
図３３は、本実施形態の記録処理にかかるフローチャートであり、同処理についても、第７実施形態について図３０を参照して説明した処理と基本的には同じであり、異なる点は、メディアパックから読み出す情報およびそれに応じた画像処理等の内容である。
【０１７２】
すなわち、本実施形態のプリンタ内蔵カメラに装着されたメディアパックのＥＥＰＲＯＭ２２４に格納されたインクの種類情報を読取る(ステップ♯４０４)。そして、この読取ったインクの種類情報を液晶ディスプレイ（ＬＣＤ）５０３に表示する(ステップ♯４０６)。そして、第１メモリ１１０５に格納された画像情報に対して、上述したように、読み出したインクの種類情報に応じた画像処理パラメータを所定のメモリから読み出し、そのパラメータを用いてそれぞれの画像処理を行なう (ステップ♯４１０、♯４１１)。
【０１７３】
第６実施形態についても示したように、図２５はその表示内容を模式的に示す図である。同図では、メディアパックに格納されるインクの種類として標準カラー用インクの場合が示されている。
【０１７４】
そして、第２メモリ１１０８に格納されたインクの種類情報に基づき、第１メモリ１１０５に格納された記録対象画像情報に対して、上述したようにインクの種類に応じた画像処理を行なって画像情報を作成し、これに基づいて記録を行なう(ステップ♯４１５、♯４１６)。
【０１７５】
＜他の実施形態＞
以上説明した、第２(第８)から第４(第１０)実施形態と第５(第１１)実施形態を記録紙の種類として広く捉え、これらの記録紙の種類に関する検出に基づき、画像処理もしくは記録制御を行なうようにしてもよい。また、他の上述した実施形態の検出情報を組み合わせて用い、その組合せに応じてそれぞれの画像処理または記録制御を組み合わせても良い。
【０１７６】
【発明の効果】
以上の説明から明らかなように、本発明によれば、装着されるメディアパックの記憶媒体に格納されるものであって、記録部で用いられる物の情報を読出し、その読み出した物の情報に基づいて記録に関した処理を行うので、メディアパックの装着動作のみでその記録部の記録制御の設定を行なうことができる。例えば、上記物の情報が記録紙のサイズである場合、そのサイズに応じて記録する画像情報の拡大、縮小処理を行ない、記録紙に適切なサイズの画像を、設定のための操作を必要とせずに自動的に記録することができる。
【０１７７】
この結果、ユーザが所望する多種多様なバリエーションの記録紙やインクに応じた画像処理や記録制御の設定を簡便に行なうことが可能となる。
【図面の簡単な説明】
【図１】本発明を適用可能なプリンタ内蔵カメラの正面図である。
【図２】図１のカメラの斜め前方からの斜視図である。
【図３】図１のカメラの斜め後方からの斜視図である。
【図４】図１のカメラに装着可能なメディアパックの斜視図である。
【図５】図１のカメラの内部における主要構成部の配置関係を示す斜視図である。
【図６】図５におけるプリンタ部の斜視図である。
【図７】図６のプリンタ部の一部を取り外した斜視図である。
【図８】図６のプリンタ部におけるキャリッジの斜視図である。
【図９】図６のプリンタ部におけるプリント媒体搬送系の構成部分の斜視図である。
【図１０】図６のプリンタ部におけるインク供給系の構成部分の斜視図である。
【図１１】図１０のインク供給系の構成部分にメディアパックが装着されたときの平面図である。
【図１２】図１のカメラにおけるカメラ部とプリンタ部の概略ブロック構成図である。
【図１３】図１２のカメラ部における信号処理の説明図である。
【図１４】図１２のプリンタ部における信号処理の説明図である。
【図１５】  (ａ)および(ｂ)は、本発明の一実施形態にかかるプリンタ内蔵カメラの記録状態を説明する図である。
【図１６】本発明の第１実施形態にかかる撮影および記録処理を示すフローチャートである。
【図１７】本発明の第１実施形態及び第７実施形態にかかる、記録紙のサイズ情報に基づいた画像情報の表示例を示す模式図である。
【図１８】本発明の第２実施形態及び第８実施形態にかかるメディアパックに格納される記録紙の一例を模式的に示す図である。
【図１９】上記第２実施形態及び第８実施形態にかかる記録紙の分割数情報に基づいた画像情報の表示例を示す模式図である。
【図２０】本発明の第３実施形態及び第９実施形態にかかるメディアパックに格納される記録紙の一例を模式的に示す図である。
【図２１】上記第３実施形態及び第９実施形態にかかる記録紙の分割数情報に基づいた画像情報の表示例を示す模式図である。
【図２２】本発明の第４実施形態及び第１０実施形態にかかるメディアパックに格納される記録紙の一例を模式的に示す図である。
【図２３】上記第４実施形態及び第１０実施形態にかかる記録紙の分割数情報に基づいた画像情報の表示例を示す模式図である。
【図２４】上記第５実施形態及び第１１実施形態にかかる記録紙の分割数情報に基づいた画像情報の表示例を示す模式図である。
【図２５】上記第６実施形態及び第１２実施形態にかかる記録紙の分割数情報に基づいた画像情報の表示例を示す模式図である。
【図２６】本発明の他の実施形態にかかるプリンタの主に画像処理および記録処理のための機能構成を示すブロック図である。
【図２７】上記プリンタに着脱可能に装填されるメディアパックに格納される記録紙の一例を示す図である。
【図２８】上記メディアパックの構成を示す模式図である。
【図２９】上記プリンタの外観を示す斜視図である。
【図３０】本発明の第７実施形態にかかる記録処理を示すフローチャートである。
【図３１】本発明の第８実施形態にかかる記録処理を示すフローチャートである。
【図３２】本発明の第１１実施形態にかかる記録処理を示すフローチャートである。
【図３３】本発明の第１２実施形態にかかる記録処理を示すフローチャートである。
【符号の説明】
Ａ００１  装置本体
Ａ００２  挿入部
Ａ１００  カメラ部
Ａ１０１  レンズ
Ａ１０２  ファインダー
Ａ１０２ａ  ファインダー窓
Ａ１０３  ストロボ
Ａ１０４  レリーズボタン
Ａ１０５  液晶表示部（外部表示部）
Ａ１０７  コンパクトフラッシュメモリカード（ＣＦカード）
Ａ１０８  電池
Ａ１０９  排出部
Ｂ１００  プリンタ部（記録装置部）
Ｂ１０１  ＬＦローラ
Ｂ１０２  ＬＦピンチローラ
Ｂ１０３  プラテン
Ｂ１０４  キャリッジ
Ｂ１０５  ガイド軸
Ｂ１０６  リードスクリュー
Ｂ１０７  軸受け
Ｂ１０８  軸受け
Ｂ１０９  スクリューピン
Ｂ１１０  ばね
Ｂ１２０  記録ヘッド
Ｂ１２１  インク吐出口
Ｂ１２２  ニードル
Ｂ１２３  供給エアー口
Ｂ１２４  ニードルカバー
Ｂ１３１  エンコーダセンサ
Ｂ１３２  リニアスケール
Ｂ１３３  ＨＰフラグ
Ｂ１３４  ＨＰセンサ
Ｂ１４１  スクリューギア
Ｂ１４２  アイドラギア
Ｂ１４３  モータギア
Ｂ１５０  フレキシブルケーブル
Ｂ２０１  排紙ローラ
Ｂ２０２  排紙ローラギア
Ｂ２０３  中継ギア
Ｂ２０４  ＬＦローラギア
Ｂ２１１  切り替えスライダ
Ｂ２１２  切り替えカム
Ｂ２１３  圧板ヘッド
Ｂ３０１  ジョイントフォーク
Ｂ３０２  供給ジョイント
Ｂ３０３  供給チューブ
Ｂ３０４  ポンプシリンダ
Ｂ３０５  ジョイントリフタ
Ｂ３１０  吸引キャップ
Ｂ３１１  吸引チューブ
Ｂ３１２  廃液チューブ
Ｂ３１３  廃液ジョイント
Ｂ３１５  ポンプユニット
Ｂ３１６  ワイパーリフタ
Ｂ３２１  ポンプＨＰセンサ
Ｂ３２２  ジョイントＨＰセンサ
Ｂ３２３  シャーシ
Ｃ１００  メディアパック
Ｃ１０１  パック本体
Ｃ１０２  シャッター
Ｃ１０２Ａ  窓部
Ｃ１０３  インクパック
Ｃ１０４  プリント媒体
Ｃ１０５  ジョイント
Ｃ１０６  ワイパー
Ｃ１０７  インク吸収体
Ｃ１１０  給紙ローラ
Ｃ１１０ａ  連結部
Ｍ００１  キャリッジモータ
Ｍ００２  搬送モータ
Ｍ００３  ジョイントモータ
Ｍ００４  ポンプモータ
１０１  ＣＣＤ
１０２  マイク
１０３  ＡＳＩＣ
１０４  第１メモリ
１０５  ＣＦカード（「ＣＦカードＡ１０７」に相当）
１０６  ＬＣＤ（「液晶表示部Ａ１０５」に相当）
１０７  レンズ
１２０  第１ＣＰＵ
２０１  画像処理部
２０２  第２メモリ
２０３  バンドメモリ制御部
２０４  バンドメモリ
２０５  マスクメモリ
２０６  ヘッド制御部
２０７  記録ヘッド（「記録ヘッドＢ１２０」に相当）
２０８  エンコーダ（「エンコーダセンサＢ１３１」に相当）
２０９  エンコーダカウンタ
２１０  インターフェース
２２０  第２ＣＰＵ
２２１  モータドライバ
２２２  モータ（「モータＭ００１，Ｍ００２，Ｍ００３，Ｍ００４」に相当）
２２３  センサ（「ＨＰセンサＢ１３４，Ｂ３２１，Ｂ３２２」を含む）
２２４  ＥＥＰＲＯＭ
２３０  音声エンコーダ部
２５０  電源部（「電池Ａ１０８」に相当）
【図１】
0004693218.tif 000002
【図２】
0004693218.tif 000003
【図３】
0004693218.tif 000004
【図４】
0004693218.tif 000005
【図５】
0004693218.tif 000006
【図６】
0004693218.tif 000007
【図７】
0004693218.tif 000008
【図８】
0004693218.tif 000009
【図９】
0004693218.tif 000010
【図１０】
0004693218.tif 000011
【図１１】
0004693218.tif 000012
【図１２】
0004693218.tif 000013
【図１３】
0004693218.tif 000014
【図１４】
0004693218.tif 000015
【図１５】
0004693218.tif 000016
【図１６】
0004693218.tif 000017
【図１７】
0004693218.tif 000018
【図１８】
0004693218.tif 000019
【図１９】
0004693218.tif 000020
【図２０】
0004693218.tif 000021
【図２１】
0004693218.tif 000022
【図２２】
0004693218.tif 000023
【図２３】
0004693218.tif 000024
【図２４】
0004693218.tif 000025
【図２５】
0004693218.tif 000026
【図２６】
0004693218.tif 000027
【図２７】
0004693218.tif 000028
【図２８】
0004693218.tif 000029
【図２９】
0004693218.tif 000030
【図３０】
0004693218.tif 000031
【図３１】
0004693218.tif 000032
【図３２】
0004693218.tif 000033
【図３３】
0004693218.tif 000034